(57)【特許請求の範囲】
【請求項１】
電波暗室の床面に開けられてスライド天板により開閉されるシールドピット内に収納され、昇降リフターにより昇降する電波吸収体からなる自動敷設型イミュニティ試験用電波吸収体。
【請求項２】
請求項１記載の電波吸収体において、前記スライド天板は、天板下面に設けられたコロが前記シールドピットの両側に設けられたレールに所定間隔で形成された孔に嵌入してシールドピットの蓋をするとともに、前記レールの孔に下方から嵌入するアングルにより前記コロがレール面まで持ち上げられ、レール上を走行可能となることを特徴とする自動敷設型イミュニティ試験用電波吸収体。
【請求項３】
請求項１記載の電波吸収体において、前記電波吸収体が載置される台下面にラック及びコロが設けられ、前記昇降リフターに設けられたギアーと前記ラックとが噛み合い、コロの転がりにより電波吸収体が水平方向に移動可能であることを特徴とする自動敷設型イミュニティ試験用電波吸収体。
【請求項４】
請求項３記載の電波吸収体において、被試験装置が載置されるターンテーブルに溝が設けられ、前記電波吸収体の台下面に設けられたコロがターンテーブルの溝内にガイドされることを特徴とする自動敷設型イミュニティ試験用電波吸収体。
【発明の詳細な説明】
【０００１】
【発明の属する技術分野】
本発明は１つの電波暗室を半無響タイプと無響タイプの双方の電波暗室とすることができる自動敷設型イミュニティ試験用電波吸収体に関するものである。
【０００２】
【従来の技術】
従来、各種製品、例えば、ディスプレイをもつ電子機器等の電磁気的外乱による影響の有無（イミュニティ試験）、或いは電子機器等からの電磁波の発生の有無の試験のために電波暗室が使用されている。この電波暗室として、金属面に囲まれた６面のうち天井及び壁面に電波吸収体を貼り付け、床を金属面とした半無響タイプ、金属面に囲まれた６面の全てに電波吸収体を貼り付けた無響タイプのものが存在していたが、最近の国際規格の制定、動向に伴い、半無響タイプ、簡易無響タイプ双方の電波暗室が必要となってきた。半無響タイプ、無響タイプの設備を２基建設するには膨大な投資が必要となることから、従来は半無響タイプの電波暗室床面に手作業で電波吸収体を敷設して簡易無響タイプを作り出していた。
【０００３】
【発明が解決しようとする課題】
しかし手作業で電波吸収体を敷設する方法は、作業時間が長くかかること、敷設位置の再現性が低い、取り外した電波吸収体を収納する部屋が必要になるなどの問題があった。
本発明は上記課題を解決するためのもので、電波吸収体敷設作業が自動で行えるとともに、敷設位置の再現性、電波吸収体収納場所の確保が必要のない自動敷設型イミュニティ試験用電波吸収体を提供することを目的とする。
【０００４】
【課題を解決するための手段】
そのために本発明は、電波暗室の床面にシールドピットを設けて金属床面と同材質のスライド天板で開閉可能にし、このシールドピット内に電波吸収体を収納して、昇降リフターにより昇降可能にし、スライド天板を開いて電波吸収体を床面まで上昇させて無響室とし、電波吸収体を下降させてスライド天板を閉じることにより半無響室とすることを特徴とする。
【０００５】
【発明の実施の形態】
以下、本発明の実施の形態について説明する。
図１は本発明の自動敷設型イミュニティ試験用電波吸収体の概念図、図２は電波吸収体の自動敷設を説明する図、図３はイミュニティ試験を説明するための平面図である。
電波暗室は天井及び壁面に電波吸収体が貼り付けられ、電波暗室床面１は金属面で半無響タイプになっている。図１（ａ）に示すように、この床面１にシールドピット（穴）２を開け、他の床面と同材質のスライド天板３で開閉可能にする。このシールドピット２内には、図２に示すように昇降リフター５で昇降する電波吸収体４が収納される。無響タイプとしてイミュニティ試験を行う場合には、図１（ｂ）に示すように電波吸収体４を床面まで上昇させ、必要に応じて電波吸収体４を水平方向へ移動可能にする（図１（ｃ））。
【０００６】
図３はイミュニティ試験を行う場合の平面図で、アンテナ６からの電磁波をターンテーブル８に載せた被試験装置７に照射する場合は、床面からの反射波がないように無響タイプとし、そのためアンテナ６と被試験装置７はシールドピット２を挟んで対向配置し、図１〜図２のスライド天板３をスライドして開け、昇降リフター５で電波吸収体４を床面まで上昇させて試験を行う。図３（ａ）に示すように被試験装置７が大きい場合は、電波吸収体４は上昇させたその位置のままでよいが、図３（ｂ）に示すように被試験装置７が小さい場合には、電波吸収体４を上昇させたそのままの位置では、電波吸収体４と被試験装置７の間に金属床面が露出するため、電波吸収体４はターンテーブル８上に移動させて（移動機構については後述する）試験を行う。装置７から発生する電磁波をアンテナ６で受信する場合は、半無響タイプとし、そのため昇降リフター５で電波吸収体４を下降させてシールドピット２内に収納し、スライド天板３で蓋をして床面を金属面として試験を行う。
【０００７】
図４はシールドピットの開閉を説明するための図である。
シールドピットの開閉は、図４（ａ）に示すように１枚の金属製のスライド天板３を用いた片開き、図４（ｂ）に示すように２枚の金属製スライド天板１１，１２を用いた両開きのどちらも使用できる。スライド天板３（又は１１，１２）はシールドピット２の両側から床面に延びるレール９上を、図４（ｃ）に示すようにコロ１５で転がって走行し、その駆動力は、例えば、ハンドル１３により手動またはモータ駆動で無端チェーン１４を回すことにより行う。
【０００８】
図５はスライド天板のスライド機構を説明する図である。
図５（ａ）（平面図）に示すように、シールドピットの両側に設けられたレール９には、シールドピット両側に相当する部分に所定間隔で穴１０が開けられており、スライド天板３でシールドピットを蓋しているときは、図５（ｂ）（側断面図）に示すように、スライド天板３の下面に設けられたコロ１５がこの穴１０に嵌まることにより、スライド天板３が他の床面と面一になっている。レール９の下側には、レールの穴１０に対向した突起を有するアングル１６が配置されており、油圧ジャッキ１７又はモータで上昇下降できるようになっている。スライド天板３をスライドさせる場合は、図５（ｃ）（側断面図）、図５（ｄ）（横断面図）に示すように、油圧ジャッキ１７でアングル１６を上昇させると、アングル１６の突起の上面がレール面になるまでレールの穴１０に入り込んでコロ１５を押し上げる。この状態でコロ１５はレール面上を走行可能となる。
【０００９】
図６は昇降リフターによる電波吸収体の上昇とスライドの例を説明する図である。
電波吸収体４が設置された台の下面側にはラック１９とコロ２０が設けられ、ラック１９は昇降リフター側に設けられたギアー１８とかみ合っている。図５で説明したような方法でスライド天板を開いた後、昇降リフター５を作動させると、図６（ａ）に示すように電波吸収体４が上昇する。昇降リフター５の面が床面と面一になったところで昇降リフターは停止し、このときギアー１８を図示しない駆動装置で回転駆動すると、コロ２０で昇降リフター面、及び床面上を転がって移動する。なお、昇降リフター面にはコロ２０がガイドされる溝を設けておけば移動方向を安定させることができる。
【００１０】
図７は電波吸収体と被試験装置が載置されるターンテーブルとの関係を説明する図である。
電波吸収体４は、図３で説明したようにシールドピット２から上昇させたままの位置で置かれる場合と、被試験装置が載置されるターンテーブルまで移動させて設置される場合がある。ターンテーブルまで移動させる場合、図７（ａ）に示すように、電波吸収体の台の下面に設けられているコロ２０がターンテーブル８に載らない位置で停止するようにしておけば、ターンテーブル８は回転可能であるので、被試験装置の微妙な位置調整が可能である。
【００１１】
また、図７（ｂ）、図７（ｃ）に示すように、ターンテーブル８に電波吸収体４のコロをガイドする溝２１を設けて、この溝までコロ２０を転がして停止させれば、電波吸収体４、ターンテーブル８とも位置が固定される。なお、溝２１は図７（ｃ）に示すように、９０°間隔で設けるようにすれば、４方向への回転が可能である。
【００１２】
【発明の効果】
以上のように本発明によれば、電波暗室の床面にシールドピットを開け、この中に電波吸収体を昇降自在に収納して金属スライド天板で覆い、電波暗室を無響タイプとして使用する場合には、金属スライド天板をスライドさせて電波吸収体を上昇させ、電波吸収体を挟んでアンテナと被試験装置を対向させて試験を行い、電波暗室を半無響タイプとして使用する場合には、電波吸収体をシールドピット内に収納して金属スライド天板で蓋をして試験を行うようにしたので、電波吸収体敷設作業が自動で行えるとともに、敷設位置の再現性、電波吸収体収納場所を別途確保する必要をなくすことができる。
【図面の簡単な説明】
【図１】  本発明の自動敷設型イミュニティ試験用電波吸収体の１例を説明する図である。
【図２】  電波吸収体の自動敷設を説明する図である。
【図３】  イミュニティ試験を説明するための平面図である。
【図４】  シールドピットの開閉を説明するための図である。
【図５】  スライド天板のスライド機構を説明する図である。
【図６】  昇降リフターを説明する図である。
【図７】  電波吸収体と被試験装置が載置されるターンテーブルとの関係を説明する図である。
【符号の説明】
１…電波暗室床面、２…シールドピット、３…スライド天板、４…電波吸収体、５…昇降リフター、６…アンテナ、７…被試験装置、８…ターンテーブル、９…レール、１０…穴、１１，１２…スライド天板、１３…ハンドル、１４…無端チェーン、１５…コロ、１６…アングル、１７…油圧ジャッキ、１８…ギアー、１９…ラック、２０…コロ、２１…溝。
【図１】
0003694700.tif 000002
【図２】
0003694700.tif 000003
【図３】
0003694700.tif 000004
【図４】
0003694700.tif 000005
【図５】
0003694700.tif 000006
【図６】
0003694700.tif 000007
【図７】
0003694700.tif 000008